(57)【特許請求の範囲】
【請求項１】
Ｅｔｈｅｒｎｅｔ通信機能を有するモバイルルータと、前記モバイルルータと第１のＵＳＢコネクタを介して接続されるクレードルと、を含むＵＳＢ充電器性能判別システムであって、
前記クレードルは、第２のＵＳＢコネクタを介して、前記モバイルルータを充電するための充電器に接続可能であり、
少なくとも前記モバイルルータに設けられ、Ｂａｔｔｅｒｙ  Ｃｈａｒｇｉｎｇ  Ｓｐｅｃｉｆｉｃａｔｉｏｎに則った前記充電器の給電能力の判別を行うＵＳＢチャージャ検出器と、
前記クレードルに設けられ、ＵＳＢ規格に準拠した信号とイーサネット規格に準拠した信号とを相互に変換可能なＵＳＢ−Ｅｔｈｅｒ変換部と、を有し、
前記ＵＳＢチャージャ検出器による給電能力の判別後に、前記ＵＳＢ−Ｅｔｈｅｒ変換部と前記第１のＵＳＢコネクタとの接続が有効となり前記モバイルルータが前記Ｅｔｈｅｒｎｅｔ通信可能な状態となることを特徴とするＵＳＢ充電器性能判別システム。
【請求項２】
前記クレードルは、前記第１のＵＳＢコネクタのデータラインの接続先を前記第２のＵＳＢコネクタと前記ＵＳＢ−Ｅｔｈｅｒ変換部との間で切り替えるＵＳＢデータライン切替スイッチをさらに有する、請求項１に記載のＵＳＢ充電器性能判別システム。
【請求項３】
前記モバイルルータは、前記給電能力の判別後に出力される信号に応じて前記充電器から前記第１のＵＳＢコネクタの給電ラインを介して当該モバイルルータに電流を流すロードスイッチをさらに有し、
前記クレードルは、前記電流が流れたことを検出する電流検出部をさらに有し、
前記ＵＳＢデータライン切替スイッチは、前記電流検出部が前記電流の流れ始めを検出したことをトリガとして前記第１のＵＳＢコネクタのデータラインの接続先を前記第２のＵＳＢコネクタから前記ＵＳＢ−Ｅｔｈｅｒ変換部に切り替える、請求項２に記載のＵＳＢ充電器性能判別システム。
【請求項４】
さらに前記クレードルに第２のＵＳＢチャージャ検出器が設けられ、
前記モバイルルータに制御部が設けられ、
前記ＵＳＢ−Ｅｔｈｅｒ変換部は、前記第２のＵＳＢチャージャ検出器による前記給電能力の判別結果が書き込まれる汎用Ｉ／Ｏポートを備えており、
前記制御部は、前記Ｅｔｈｅｒｎｅｔ通信により、前記汎用Ｉ／Ｏポートに書き込まれた前記給電能力の判別結果を読み出す、請求項１に記載のＵＳＢ充電器性能判別システム。
【請求項５】
Ｅｔｈｅｒｎｅｔ通信機能を有するモバイルルータと、前記モバイルルータと第１のＵＳＢコネクタを介して接続されるクレードルと、を含むＵＳＢ充電器性能判別システムにおいて、
前記クレードルは、第２のＵＳＢコネクタを介して前記モバイルルータを充電するための充電器に接続可能であり、かつＵＳＢ規格に準拠した信号とイーサネット規格に準拠した信号とを相互に変換可能なＵＳＢ−Ｅｔｈｅｒ変換部と、を有し、
Ｂａｔｔｅｒｙ  Ｃｈａｒｇｉｎｇ  Ｓｐｅｃｉｆｉｃａｔｉｏｎに則った前記充電器の給電能力の判別を行う判別ステップと、
前記判別ステップにおける給電能力の判別後に、前記ＵＳＢ−Ｅｔｈｅｒ変換部と前記第１のＵＳＢコネクタとの接続を有効とし前記モバイルルータの前記Ｅｔｈｅｒｎｅｔ通信を可能とする通信開始ステップと、を含むことを特徴とするＵＳＢ充電器性能判別方法。
【請求項６】
前記通信開始ステップにおいて、前記第１のＵＳＢコネクタのデータラインの接続先を前記第２のＵＳＢコネクタと前記ＵＳＢ−Ｅｔｈｅｒ変換部との間で切り替える切替ステップをさらに有する、請求項５に記載のＵＳＢ充電器性能判別方法。
【請求項７】
前記給電能力の判別後に出力される信号に応じて前記充電器から前記第１のＵＳＢコネクタの給電ラインを介して前記モバイルルータに電流を流すよう制御する制御ステップと、
前記電流が流れたことを検出する検出ステップをさらに有し、
前記切替ステップでは、前記検出ステップにて前記電流の流れ始めを検出したことをトリガとして前記第１のＵＳＢコネクタのデータラインの接続先を前記第２のＵＳＢコネクタから前記ＵＳＢ−Ｅｔｈｅｒ変換部に切り替える、請求項６に記載のＵＳＢ充電器性能判別方法。
【請求項８】
前記ＵＳＢ−Ｅｔｈｅｒ変換部は汎用Ｉ／Ｏポートを備えており、
前記クレードルにより前記給電能力を判別する第２の判別ステップと、
前記第２の判別ステップにおける前記給電能力の判別結果が書き込まれた汎用Ｉ／Ｏポートから前記Ｅｔｈｅｒｎｅｔ通信により前記判別結果を読み出す読出ステップと、をさらに有する、請求項５に記載のＵＳＢ充電器性能判別方法。
【請求項９】
ＵＳＢコネクタを介してクレードルに接続可能であり、Ｅｔｈｅｒｎｅｔ通信機能を有するモバイルルータであって、
前記クレードルに接続される充電器のＢａｔｔｅｒｙ  Ｃｈａｒｇｉｎｇ  Ｓｐｅｃｉｆｉｃａｔｉｏｎに則った給電能力を判別するＵＳＢチャージャ検出器と、
前記給電能力の判別後に出力される信号に応じて前記充電器からの電流を当該モバイルルータに流すロードスイッチと、を有し、
前記クレードルが前記電流を検出して前記ＵＳＢコネクタのデータラインの接続先を前記充電器から当該モバイルルータに切り替えたことに応じて前記Ｅｔｈｅｒｎｅｔ通信可能な状態となることを特徴とするモバイルルータ。
【請求項１０】
第１のＵＳＢコネクタを介して、Ｅｔｈｅｒｎｅｔ通信機能を有するモバイルルータが接続され、
第２のＵＳＢコネクタを介して、前記モバイルルータを充電するための充電器が接続され、
ＵＳＢ規格に準拠した信号とイーサネット規格に準拠した信号とを相互に変換可能なＵＳＢ−Ｅｔｈｅｒ変換部と、
前記モバイルルータおけるＢａｔｔｅｒｙ  Ｃｈａｒｇｉｎｇ  Ｓｐｅｃｉｆｉｃａｔｉｏｎに則った前記充電器の給電能力の判別後に前記第１のＵＳＢコネクタのデータラインの接続先を前記第２のＵＳＢコネクタから前記ＵＳＢ−Ｅｔｈｅｒ変換部へ切り替えるＵＳＢデータライン切替スイッチと、を有することを特徴とするクレードル。
【発明の詳細な説明】
【技術分野】
【０００１】
本発明は、充電器性能判別システム、充電器性能判別方法、モバイルルータ及びクレードルに関する。
【背景技術】
【０００２】
可搬性のある無線ＬＡＮ（Local Area Network）ルータ装置として、モバイルルータが知られている。図９は、無線ＬＡＮ通信機能を有するスマートフォンや携帯電話、携帯ゲーム機等のモバイル機器がモバイルルータを介してデータ通信を行う際のイメージ図である。モバイルルータ１０１は、基地局１０２との間のＷｉＭＡＸ（Worldwide Interoperability for Microwave Access）（登録商標）やＬＴＥ（Long Term Evolution）等の無線ＷＡＮ（Wide Area Network）回線を通じてモバイル機器１００をインターネット１０３に接続させることができる。また、モバイルルータ１０１は、内蔵するバッテリによる動作が可能である。従来の据え置き式無線ＬＡＮルータ装置と異なり、ＷＡＮ回線および電源がワイヤレスとなる。そのため、持ち運んで様々なシーンで使用することができる。
【０００３】
また、図１０に示すように、モバイルルータの中には専用クレードルと接続可能なものがある。モバイルルータ２００をクレードル２０１と接続することで、有線ＬＡＮによる通信や充電が可能となる。これにより、例えばＰＣ（Personal Computer）２０３を外出先では無線ＬＡＮ、自宅では有線ＬＡＮでインターネットに接続するというように、インターネット回線を一本化することができる。そのため、通信費を安く抑えることができる。
【０００４】
図１１は、関連技術にかかるＵＳＢ充電システム３０の構成を示す図である。充電システム３０は、モバイルルータ（本体）３１と、クレードル３２とを含んで構成される。
【０００５】
モバイルルータ３１は、メイン制御部３００、ＵＳＢ（Universal Serial Bus）チャージャ検出器３０１、専用クレードルコネクタ３０２、充電制御部３０３、バッテリ３０４、電源部３０５、無線通信部３０６、記憶部３０７、ＵＳＢコネクタ３０８を含んで構成される。
【０００６】
メイン制御部３００は、モバイルルータ３１全体の制御を行い、各種通信の制御やインターネット回線接続に必要なルーティング動作等を行なう。メイン制御部３００にはＣＰＵ（Central Processing Unit）が用いられる。
【０００７】
ＵＳＢコネクタを利用して充電をする場合、ＵＳＢの規格であるＢａｔｔｅｒｙ  Ｃｈａｒｇｉｎｇ  Ｓｐｅｃｉｆｉｃａｔｉｏｎの規格に則るのが好ましい。ＵＳＢチャージャ検出器３０１は、クレードル３２に接続されたＵＳＢ機器のデータラインであるＤ＋／Ｄ−の状態を判別して、その機器の給電能力をＢａｔｔｅｒｙ  Ｃｈａｒｇｉｎｇ  Ｓｐｅｃｉｆｉｃａｔｉｏｎに従って判別する（例えばＰＣ等は５００ｍＡ、専用充電器は１．５Ａ）。
【０００８】
専用クレードルコネクタ３０２は、クレードル３２と接続するためのモバイルルータ３１側のコネクタであり、少なくともＥｔｈｅｒｎｅｔ（登録商標）通信用の信号線とモバイルルータ３１側にて判別したＵＳＢ充電器の給電能力をクレードル３２側に伝達する信号線、およびクレードル３２側からの給電ラインを通す機能を有する。
【０００９】
充電制御部３０３は、専用クレードルコネクタ３０２から供給された電力でバッテリ３０４を充電するための制御および電源部３０５へ給電を行うための制御を行なう。
【００１０】
電源部３０５は、各機能ブロックに電力を供給する機能を有する。
【００１１】
無線通信部３０６は、インターネット回線に接続するための無線ＷＡＮ通信、および接続される外部機器との無線ＬＡＮ通信を行う機能を有する。
【００１２】
記憶部３０７は、ＯＳ（Operating System）や動作に必要な設定等を記憶する機能を有する。
【００１３】
ＵＳＢコネクタ３０８は、モバイルルータ３１単体でも充電が可能なように専用クレードルコネクタ３０２とは別に設けられるものである。
【００１４】
クレードル３２は、専用クレードルコネクタ３０９、ＵＳＢコネクタ３１０、有線ＬＡＮコネクタ３１１、ＵＳＢ−Ｅｔｈｅｒ変換部３１２を含む。
【００１５】
専用クレードルコネクタ３０９は、モバイルルータ３１と接続するためのクレードル側のコネクタである。
【００１６】
ＵＳＢコネクタ３１０は、バッテリ３０４を充電する際にＵＳＢ充電器を接続するためのコネクタである。
【００１７】
有線ＬＡＮコネクタ３１１は、外部に接続されるＰＣ等と有線ＬＡＮで通信するためのコネクタである。
【００１８】
ＵＳＢ−Ｅｔｈｅｒ変換部３１２は、モバイルルータ３１のメイン制御部３００とＵＳＢ通信し、ＵＳＢ信号をＥｔｈｅｒｎｅｔ信号に変換する機能を有する。
【００１９】
上述の通り、クレードルに有線ＬＡＮ機能を搭載した場合には、充電器の給電能力を判別するための信号線の他にＥｔｈｅｒｎｅｔ通信用の信号線が必要となる。すなわち、ピンの数を増やした専用クレードルコネクタを設ける必要があり、本体のサイズアップ、コストアップにつながる。
【００２０】
ここで、専用クレードルコネクタを用いることなく、より汎用的なＵＳＢコネクタを用いてモバイルルータとクレードルとの接続が可能になれば、利便性、デザイン性、コストにメリットがある。
【００２１】
特許文献１には、クレードルを用いた放射線画像検出システムの充電制御が開示されている。具体的には、クレードルの充電制御部は、定電流充電の開始時において充電電流が０からＩｓに立ち上げられた時の電流変化に伴うバッテリの電圧変化ΔＶ１を検出し、当初の目標電圧Ｖ１の値に電圧変化ΔＶ１を加算することで補正された新たな目標電圧Ｖ２で定電流充電を行う。このため、定電流充電から定電圧充電に移行する際に、バッテリを目標電圧Ｖ１に極力近い状態まで引き上げることができ、定電圧充電の冗長化を回避し、迅速に充電を完了させることができる。
【００２２】
特許文献２には、非接触通信を介して給電対象物を確認することで、非接触給電動作の信頼性を向上させることができる給電装置が開示されている。具体的には、クレードルに設けられた検出スイッチによりクレードルに携帯端末が設置されたことを検出した場合、非接触給電モジュール（一次側）は携帯端末に対して非接触給電を開始する。非接触通信を介して携帯端末から応答信号を受信していない場合、非接触給電を停止する。
【００２３】
特許文献３には、複数のデバイスが搭載されたＵＳＢ装置において、切り替えスイッチを切り替えて、ホストに対し複数デバイスを同時に認識させたり、ホストから設定された情報を基に複数デバイスを別々に認識させたりすることが開示されている。具体的には、ＵＳＢ装置に切り替えスイッチを設け、第１デバイスのプロセッサには切り替えスイッチの２つの出力を印加するとともに複数のデバイスの動作選択情報が記入された記憶手段を設け、第２デバイスのプロセッサにはレギュレータを経由した電源の出力と切り替えスイッチの一方の出力を印加する。
【００２４】
特許文献４には、デジタルカメラを密閉状態で収納した充電ケースをクレードルにセットして充電することが開示されている。この際、防水ケース及びクレードルに無接点給電モジュールを備え、クレードル側無接点給電モジュールにおいて電磁誘導による磁力線を発生し、この磁力線をケース側無接点給電で受信し、この受信された磁力線をデジタルカメラのバッテリに給電し、充電を行う。
【００２５】
特許文献５には、ＵＳＢコネクタを介してクレードルに接続されるモバイルルータが開示されている。モバイルルータをクレードルに装着することによって、ＵＳＢ規格に従ってクレードルからモバイルルータに供給される電源電圧により、モバイルルータを充電することが開示されている。また、モバイルルータとクレードルの両方にＵＳＢ／イーサネット変換部を設け、ＵＳＢ規格に準拠した信号とＥｔｈｅｒｎｅｔ規格に準拠した信号とを相互に変換することで通信を行うことが記載されている。
【先行技術文献】
【特許文献】
【００２６】
【特許文献１】再特ＷＯ２０１２／００５０２１号公報
【特許文献２】特開２０１１−１６０５４７号公報
【特許文献３】特開２００５−１６５５０９号公報
【特許文献４】特開２００７−１２９７９１号公報
【特許文献５】特開２０１２−０４４４７７号公報
【発明の概要】
【発明が解決しようとする課題】
【００２７】
しかし、関連技術の充電システムには以下の問題点があった。すなわち、ＵＳＢは配線や動作に規格があるため、自由にピン配置の変更や信号線の追加等をすることができない。そのため、専用クレードルコネクタを設けることなく、ＵＳＢコネクタのみでＵＳＢ充電器の給電能力の判別とＥｔｈｅｒｎｅｔ通信の両方を実現することができないという問題があった。特許文献１乃至５においても、当該問題を解決する手段は開示されていない。
【００２８】
本発明は、上述した課題を解決するＵＳＢ充電器性能判別システム、ＵＳＢ充電器性能判別方法、モバイルルータ、及びクレードルを提供することを目的とする。
【課題を解決するための手段】
【００２９】
本発明のＵＳＢ充電器性能判別システムは、Ｅｔｈｅｒｎｅｔ通信機能を有するモバイルルータと、モバイルルータと第１のＵＳＢコネクタを介して接続されるクレードルと、を含むＵＳＢ充電器性能判別システムであって、クレードルは、第２のＵＳＢコネクタを介して、モバイルルータを充電するための充電器に接続可能であり、少なくともモバイルルータに設けられ、Ｂａｔｔｅｒｙ  Ｃｈａｒｇｉｎｇ  Ｓｐｅｃｉｆｉｃａｔｉｏｎに則った充電器の給電能力の判別を行うＵＳＢチャージャ検出器と、クレードルに設けられ、ＵＳＢ規格に準拠した信号とイーサネット規格に準拠した信号とを相互に変換可能なＵＳＢ−Ｅｔｈｅｒ変換部と、を有し、ＵＳＢチャージャ検出器による給電能力の判別後に、ＵＳＢ−Ｅｔｈｅｒ変換部と第１のＵＳＢコネクタとの接続が有効となりモバイルルータがＥｔｈｅｒｎｅｔ通信可能な状態となることを特徴とする。
【００３０】
本発明のＵＳＢ充電器性能判別方法は、Ｅｔｈｅｒｎｅｔ通信機能を有するモバイルルータと、モバイルルータと第１のＵＳＢコネクタを介して接続されるクレードルと、を含むＵＳＢ充電器性能判別システムにおいて、クレードルは、第２のＵＳＢコネクタを介してモバイルルータを充電するための充電器に接続可能であり、かつＵＳＢ規格に準拠した信号とイーサネット規格に準拠した信号とを相互に変換可能なＵＳＢ−Ｅｔｈｅｒ変換部と、を有し、Ｂａｔｔｅｒｙ  Ｃｈａｒｇｉｎｇ  Ｓｐｅｃｉｆｉｃａｔｉｏｎに則った充電器の給電能力の判別を行う判別ステップと、判別ステップにおける給電能力の判別後に、ＵＳＢ−Ｅｔｈｅｒ変換部と第１のコネクタとの接続を有効としモバイルルータのＥｔｈｅｒ通信を可能とする通信開始ステップと、を含むことを特徴とする。
【００３１】
本発明のモバイルルータは、ＵＳＢコネクタを介してクレードルに接続可能であり、Ｅｔｈｅｒｎｅｔ通信機能を有するモバイルルータであって、クレードルに接続される充電器のＢａｔｔｅｒｙ  Ｃｈａｒｇｉｎｇ  Ｓｐｅｃｉｆｉｃａｔｉｏｎに則った給電能力を判別するＵＳＢチャージャ検出器と、
給電能力の判別後に出力される信号に応じて充電器からの電流を当該モバイルルータに流すロードスイッチと、を有し、クレードルが電流を検出してＵＳＢコネクタのデータラインの接続先を充電器から当該モバイルルータに切り替えたことに応じてイーサネット（登録商標）通信を開始することを特徴とする。
【００３２】
本発明のクレードルは、第１のＵＳＢコネクタを介して、イーサネット（登録商標）通信機能を有するモバイルルータが接続され、第２のＵＳＢコネクタを介して、モバイルルータを充電するための充電器が接続され、モバイルルータおけるＢａｔｔｅｒｙ  Ｃｈａｒｇｉｎｇ  Ｓｐｅｃｉｆｉｃａｔｉｏｎに則った充電器の給電能力の判別後に第１のＵＳＢコネクタのデータラインの接続先を第２のＵＳＢコネクタからＵＳＢ−Ｅｔｈｅｒ変換部へ切り替えるＵＳＢデータライン切替スイッチと、を有することを特徴とする。
【発明の効果】
【００３３】
本発明によれば、専用クレードルコネクタを設けることなく、ＵＳＢコネクタで充電器の給電能力の判別及びイーサネット（登録商標）通信を実現するＵＳＢ充電器性能判別システム、ＵＳＢ充電器性能判別方法、モバイルルータ、及びクレードルを提供することができる。
【図面の簡単な説明】
【００３４】
【図１】第１の実施形態にかかるＵＳＢ充電器性能判別システム１０の構成を示す図である。
【図２】第１の実施形態にかかるＵＳＢ充電器性能判別システム１０の動作を説明するフロー図である。
【図３】第２の実施形態にかかるＵＳＢ充電器性能判別システム４０の構成を示す図である。
【図４】第２の実施形態にかかる電流検出部４１３及び切替スイッチ制御信号生成部４１５の構成を示す図である。
【図５】第２の実施形態にかかるＵＳＢ充電器性能判別システム４０の動作を説明するフロー図である。
【図６】第２の実施形態にかかるＵＳＢ充電器性能判別システム４０の動作を説明するフロー図である。
【図７】第３の実施形態にかかるＵＳＢ充電器性能判別システム６０の構成を示す図である。
【図８】第３の実施形態にかかるＵＳＢ充電器性能判別システム６０の動作を説明するフロー図である。
【図９】モバイルルータを用いてデータ通信を行う際のイメージ図である。
【図１０】クレードルに接続されたモバイルルータを用いてデータ通信を行う際のイメージ図である。
【図１１】関連技術におけるＵＳＢ充電システム３０の構成を示す図である。
【発明を実施するための形態】
【００３５】
［第１の実施形態］
図１は、第１の実施形態にかかるＵＳＢ充電器性能判別システム１０の構成を示す図である。ＵＳＢ充電器性能判別システム１０は、イーサネット（登録商標）通信機能を有するモバイルルータ１１と、モバイルルータ１１と第１のＵＳＢコネクタ１３を介して接続されるクレードル１２と、を含む。
【００３６】
クレードル１２は、第２のＵＳＢコネクタ１４を介して、モバイルルータ１１を充電するための充電器（図示せず）に接続可能である。
【００３７】
少なくともモバイルルータ１１には、ＵＳＢの規格であるＢａｔｔｅｒｙ  Ｃｈａｒｇｉｎｇ  Ｓｐｅｃｉｆｉｃａｔｉｏｎ（Ｒｅｖｉｓｉｏｎ  １．２、６〜３５ページ、２０１０年１２月７日）に則った充電器の給電能力の判別を行うＵＳＢチャージャ検出器１５が設けられている。この規格に沿った判別結果として、Standard downstream port(SDP)：Max 500mA、Charging downstream port(CDP)：Max 1.5A、Dedicated charging port(DCP)：Max 1.5Aがある。判別した給電能力に基づいてモバイルルータ１１への充電電流を決定する。図１では、モバイルルータにＵＳＢチャージャ検出器１５を設けた例について説明する。
【００３８】
また、クレードル１２には、ＵＳＢ規格に準拠した信号とイーサネット（登録商標）規格に準拠した信号とを相互に変換可能なＵＳＢ−Ｅｔｈｅｒ変換部１６が設けられている。
【００３９】
図２を用いて、本実施形態にかかるＵＳＢ充電器性能判別システム１０の動作について説明する。
【００４０】
まず、クレードル１２に第２のＵＳＢコネクタ１４を介して充電器が接続され（ステップ２１）、第１のＵＳＢコネクタ１３を介してモバイルルータ１１が接続される（ステップ２２）。続いて、モバイルルータ１１のＵＳＢチャージャ検出器１５が、充電器の給電能力を判別する（ステップ２３）。この後、ＵＳＢ−Ｅｔｈｅｒ変換部１６と第１のＵＳＢコネクタ１３との接続が有効となり（ステップ２４）、モバイルルータ１１がＥｔｈｅｒｎｅｔ通信可能な状態となる（ステップ２５）。
【００４１】
本実施形態にかかるＵＳＢ充電器性能判別システム１０においては、ＵＳＢチャージャ検出器１５による充電器の給電能力の判別後に、ＵＳＢ−Ｅｔｈｅｒ変換部１６と第１のコネクタ１３との接続が有効となりモバイルルータ１１がＥｔｈｅｒｎｅｔ通信可能な状態となる。これにより、専用クレードルコネクタを設けることなく、ＵＳＢコネクタで充電器の給電能力の判別及びＥｔｈｅｒｎｅｔ通信を実現することができる。
【００４２】
なお、本実施形態においては、ステップ２１と２２の動作は逆であってもよい。すなわち、クレードルにモバイルルータを接続した後に充電器を接続してもよい。
【００４３】
［第２の実施形態］
図３は、第２の実施形態にかかるＵＳＢ充電器性能判別システム４０の構成を示す図である。ＵＳＢ充電器性能判別システム４０は、モバイルルータ（本体）４１と、クレードル４２とを含む。
【００４４】
モバイルルータ４１は、メイン制御部４００、ＵＳＢチャージャ検出器４０１、ＵＳＢコネクタ４０２、充電制御部４０３、バッテリ４０４、電源部４０５、無線通信部４０６、記憶部４０７、ロードスイッチ４１２を含む。
【００４５】
メイン制御部４００は、モバイルルータ全体の制御を行い、各種通信の制御やインターネット回線接続に必要なルーティング動作等を行なう。メイン制御部４００にはＣＰＵ（Central Processing Unit）が用いられる。
【００４６】
ＵＳＢコネクタを利用して充電をする場合、ＵＳＢの規格であるＢａｔｔｅｒｙ  Ｃｈａｒｇｉｎｇ  Ｓｐｅｃｉｆｉｃａｔｉｏｎの規格に則るのが好ましい。ＵＳＢチャージャ検出器４０１は、クレードルに接続されたＵＳＢ機器のデータラインであるＤ＋／Ｄ−の状態を判別して、その機器の給電能力をＢａｔｔｅｒｙ  Ｃｈａｒｇｉｎｇ  Ｓｐｅｃｉｆｉｃａｔｉｏｎに従って判別する機能を有する（例えばパーソナルコンピュータ等は５００ｍＡ、専用充電器は１．５Ａ）。当該機能は、一般に販売されている専用ＩＣ（Integrated Circuit）を用いることで実現可能である。
【００４７】
ＵＳＢコネクタ４０２は、モバイルルータ４１とクレードル４２とを接続するためのモバイルルータ側のコネクタであり、一般的なＵＳＢコネクタと同様の機能を有する。
【００４８】
充電制御部４０３は、ＵＳＢコネクタ４０２から供給された電力でバッテリ４０４を充電するための制御および電源部４０５へ給電を行うための制御を行なう。
【００４９】
電源部４０５は、各機能ブロックに電力を供給する機能を有する。
【００５０】
無線通信部４０６は、インターネット回線に接続するための無線ＷＡＮ通信、および接続される外部機器との無線ＬＡＮ通信を行う機能を有する。
【００５１】
記憶部４０７は、ＯＳや動作に必要な設定等を記憶する機能を有する。
【００５２】
ロードスイッチ４１２は、給電ラインをＯＮ／ＯＦＦすることにより充電制御部４０３に対してＵＳＢコネクタ４０２からの電力の供給／非供給を制御する機能を有する。また、ロードスイッチ４１２は、ＵＳＢコネクタ４０２にデバイス（クレードル４１）が接続されたことをメイン制御部４００へ伝達する。メイン制御部４００は、ロードスイッチ介して印加される電圧を検知してＵＳＢの接続動作（後述のＥｔｈｅｒ変換部４１１とのＵＳＢ接続）を開始する。
【００５３】
クレードル４２は、ＵＳＢコネクタ４０８、４０９、有線ＬＡＮコネクタ４１０、ＵＳＢ−Ｅｔｈｅｒ変換部４１１、電流検出部４１３、ＵＳＢデータライン切替スイッチ４１４、切替スイッチ制御信号生成部４１５を含む。
【００５４】
ＵＳＢコネクタ４０８は、モバイルルータと接続するためのクレードル側のコネクタである。
【００５５】
ＵＳＢコネクタ４０９は、バッテリ４０４を充電する際にＵＳＢ充電器を接続するためのコネクタである。
【００５６】
有線ＬＡＮコネクタ４１０は、外部に接続されるＰＣ等と有線ＬＡＮで通信するためのコネクタである。
【００５７】
ＵＳＢ−Ｅｔｈｅｒ変換部４１１は、モバイルルータ側のメイン制御部４００とＵＳＢ通信し、ＵＳＢ信号をＥｔｈｅｒｎｅｔ信号に変換する機能を有する。
【００５８】
電流検出部４１３は、給電ラインに電流が流れたことを検出する機能を有する。
【００５９】
ＵＳＢデータライン切替スイッチ４１４は、ＵＳＢコネクタ４０８につながるＵＳＢのデータライン(Ｄ＋／Ｄ−)を、クレードル側のＵＳＢコネクタ４０９、もしくはＵＳＢ−Ｅｔｈｅｒ変換部４１１のどちらに接続するかを切り替える機能を持つ。
【００６０】
切替スイッチ制御信号生成部４１５は、ＵＳＢデータライン切替スイッチ４１４をどちらに切り替えるかの制御信号を作り出す機能を有する。
【００６１】
図４は、電流検出部４１３と切替スイッチ制御信号生成部４１５の構成を詳細に示す図である。
【００６２】
電流検出部４１３は、シャント抵抗５０１と、コンパレータ５０３を含む。
【００６３】
シャント抵抗５０１は、電流検出用の低抵抗であり、モバイルルータと接続するためのＵＳＢコネクタ４０８に接続している。
【００６４】
コンパレータ５０３は、シャント抵抗５０１前後の電圧差を比較して、その結果を出力する機能を持つ。
【００６５】
切替スイッチ制御信号生成部４１５は、遅延部５０４と、Ｄ−ＦＦ(Ｄ−Ｆｌｉｐ  Ｆｌｏｐ)５０５を含む。
【００６６】
遅延部５０４は、Ｄ−ＦＦ５０５の初期設定を決定するための遅延回路である。
【００６７】
Ｄ−ＦＦ５０５は、ＵＳＢデータライン切替スイッチ４１４に対する制御信号をＱポートから出力する。
【００６８】
図５を用いて、本実施形態におけるＵＳＢ充電器性能判別システム４０の動作を説明する。
【００６９】
クレードル４１に充電器が接続されると（ステップ７００）、切替スイッチ制御信号生成部４１５が初期化され、ＵＳＢデータライン切替スイッチ４１４は、ＵＳＢコネクタ４０８に接続するＵＳＢのデータライン（Ｄ＋／Ｄ−）をクレードル４２側のＵＳＢコネクタ４０９に切り替える（ステップ７０１）。
【００７０】
続いて、モバイルルータ４１がクレードル４２に接続されると（ステップ７０２）、モバイルルータ４１のＵＳＢチャージャ検出器４０１が充電器の給電能力を判別し（ステップ７０３）、Ｂａｔｔｅｒｙ  Ｃｈａｒｇｉｎｇ  Ｓｐｅｃｉｆｉｃａｔｉｏｎに則った判別結果が出力される。
【００７１】
ＵＳＢチャージャ検出器４０１は、ステップ７０３にて判別した充電器の給電能力を充電制御部４０３に伝達する（ステップ７０４）。充電制御部４０３は、当該判別結果に応じてバッテリ４０４への充電電流を決定する。
【００７２】
ステップ７０３における判別の完了後、ロードスイッチ４１２は判別完了信号に応じてＯＮとなり、充電制御部４０３への給電が可能な状態となる（ステップ７０５）。
【００７３】
充電制御部４０３へ給電が開始されると、電池への充電、または電源部４０５への給電が開始され、クレードル４２に接続されたＵＳＢ充電器から電流が流れ始める（ステップ７０６）。
【００７４】
クレードル４２の電流検出部４１３が電流を検出し、切替スイッチ制御信号生成部４１５へトリガ信号を送る（ステップ７０７）。
【００７５】
切替スイッチ制御信号生成部４１５は電流検出のトリガを受けて、ＵＳＢデータライン切替スイッチ４１４をＵＳＢ−Ｅｔｈｅｒ変換部４１１側へ切り替え、その後パスを固定する（ステップ７０８）。
【００７６】
メイン制御部４００がＵＳＢ−Ｅｔｈｅｒ変換部４１１を認識して、ＵＳＢ通信を開始する（ステップ７０９）。
【００７７】
正常に認識が完了した場合にＥｔｈｅｒｎｅｔ機能が有効になる（ステップ７１０）。
【００７８】
図６を用いて、図５のステップ７０１、７０７、７０８における電流検出部４１３及び切替スイッチ制御信号生成部４１５の動作を詳細に説明する。
【００７９】
まず、ステップ７０１での動作を説明する。ＵＳＢコネクタ４０９に充電器が接続されると（ステップ８００）、給電ラインに電圧がかかり、図４のＤ−ＦＦ５０５のＣＬＥＡＲバーに電圧がかかる。ここで、ＰＲＥＳＥＴバー：Ｌ、ＣＬＥＡＲバー：Ｈの状態となり、ＱはＨとなる(ＰＲＥＳＥＴバー、ＣＬＥＡＲバーともにＬｏｗ  Ａｃｔｉｖｅ)（ステップ８０１）。このとき、ＵＳＢデータライン切替スイッチ４１４は制御ラインがＨの場合に、ＵＳＢコネクタ４０９側にスイッチが切り替わるとする(ステップ８０２)。
【００８０】
ＵＳＢコネクタ４０９からの電圧が遅延部５０４を通過して、一定時間後ＰＲＥＳＥＴバーもＨとなる（ステップ８０３）。以上がステップ７０１における電流検出部４１３及び切替スイッチ制御信号生成部４１５の動作である。
【００８１】
続いて、モバイルルータ４１とクレードル４２とが接続され電流が流れ始めると（ステップ８０４）、コンパレータ５０３がシャント抵抗５０１の両側の電位差を監視し、＋側の電位が高くなったところで、コンパレータ５０３の出力がＬ→Ｈへと変化する（ステップ８０５）。この立ち上がりエッジがＤ−ＦＦ５０５のＣＬＫ端子に入力され、エッジを検出したＤ−ＦＦ５０５ではＤ端子がＬであるため、ＱはＬを出力する（ステップ８０６）。以上がステップ７０７における電流検出部４１３及び切替スイッチ制御信号生成部４１５の動作である。
【００８２】
続いて、ＵＳＢデータライン切替スイッチ４１４は制御信号がＬとなり、さきほどまでとは逆のパス、すなわちＵＳＢ−Ｅｔｈｅｒ変換部４１１側へパスを切り替える（ステップ８０７）。以上がステップ７０８における電流検出部４１３及び切替スイッチ制御信号生成部４１５の動作である。このあと、コンパレータ５０３の出力が変化しても、ＱはＬのままである。
【００８３】
本実施形態におけるＵＳＢ充電器性能判別システム４０では、クレードル４２が、ＵＳＢコネクタ４０８のデータラインの接続先を充電器が接続されるＵＳＢコネクタ４０９とＵＳＢ−Ｅｔｈｅｒ変換部４１１との間で切り替えるＵＳＢデータライン切替スイッチ４１４を有している。これにより、専用クレードルコネクタを設けることなく、ＵＳＢコネクタでモバイルルータとクレードルを接続し、クレードルに接続されるＵＳＢ充電器の給電能力の判別とＥｔｈｅｒｎｅｔ通信を両立することができる。
【００８４】
また、クレードルに給電能力判別用のＩＣと、ＣＰＵやマイコン等のホストデバイスとを搭載することによりデータラインの切替が可能であるが、コスト面等を考慮すると現実的ではない。一方、モバイルルータ側で給電能力の判別を行う場合は、モバイルルータによる給電能力の判別が完了した時点でクレードルに搭載されたＵＳＢデータライン検出スイッチを切り替える必要がある。しかし、モバイルルータとクレードルとの接続にＵＳＢコネクタを用いる場合は、規格により自由にピンの数を増やすことができない。そのため、判別結果をモバイルルータからクレードルに伝達することができない。すなわち、クレードルにて、ＵＳＢデータライン検出スイッチを切り替えるための制御信号を適切なタイミングで生成することができなかった。
【００８５】
本実施形態にかかるＵＳＢ充電器性能判別システム４０では、モバイルルータ４１がロードスイッチ４１２を有し、クレードル４２が電流検出部４１３を有する。すなわち、給電能力の判別後にロードスイッチ４１２がＯＮされることにより充電器からモバイルルータ４１に電流が流れ、ＵＳＢデータライン切替スイッチ４１４は、電流検出部４１３が当該電流の流れ検出したことをトリガとしてＵＳＢコネクタ４０８のデータラインの接続先をＵＳＢコネクタ４０９からＵＳＢ−Ｅｔｈｅｒ変換部４１１に切り替える。これにより、クレードルに給電能力判別用のＩＣと、ＣＰＵやマイコン等のホストデバイスとを搭載することなく、ＵＳＢデータライン切替スイッチを適切なタイミングで制御することができる。
【００８６】
さらに、本実施形態にかかるＵＳＢ充電器性能判別システム４０では、モバイルルータ４１のＵＳＢチャージャ検出器４０１が充電器の給電能力を判別し、判別完了後に出力される信号に応じてロードスイッチ４１２が充電制御部４０３への給電を可能とする。これにより、モバイルルータの電源がＯＦＦ状態である等、モバイルルータのメイン制御部が動作していない場合であっても充電器の給電能力を判別することができる。
【００８７】
［第３の実施形態］
図７は、第３の実施形態にかかるＵＳＢ充電器性能判別システム６０の構成を示す図である。ＵＳＢ充電器性能判別システム６０は、第２の実施形態にかかるＵＳＢ充電器性能判別システム４０と以下の点で異なる。まず、モバイルルータ６１は、ロードスイッチを有さない。そして、クレードル６２は、電流検出部、ＵＳＢデータライン切替スイッチ、切替スイッチ制御信号生成部を有さず、ＵＳＢチャージャ検出器６１２を有する。また、ＵＳＢ−Ｅｔｈｅｒ変換部６１１は、汎用Ｉ／Ｏポート６１３を備えている。その他の構成は、実施形態２にかかるＵＳＢ充電器性能判別システム４０と同様である。
【００８８】
ＵＳＢ−Ｅｔｈｅｒ変換部に用いられるＩＣは多くの場合、汎用Ｉ／Ｏポートを備えている。本実施形態では、これを活用する。
【００８９】
図８を用いて、ＵＳＢ充電器性能判別システム６０の動作を説明する。
【００９０】
まず、クレードル６２のＵＳＢコネクタ６０９に充電器が接続されると（ステップ９００）、クレードル６２のＵＳＢチャージャ検出器６１２は、接続された充電器の給電能力を判別する（ステップ９０１）。
【００９１】
続いて、ＵＳＢチャージャ検出器６１２は、ステップ９０１における判別結果をＵＳＢ−Ｅｔｈｅｒ変換部６１１の汎用Ｉ／Ｏポート６１３が読める状態(例えば、Ｈｉｇｈ電圧は１．５Ａ給電可能、Ｌｏｗ電圧は５００ｍＡ給電可能等)でＵＳＢ−Ｅｔｈｅｒ変換部６１１の汎用Ｉ／Ｏポートに伝達する（ステップ９０２）。
【００９２】
その後、モバイルルータ６１とクレードル６２とが接続されると（ステップ９０３）、モバイルルータ６１のＵＳＢチャージャ検出器６０１はＵＳＢ−Ｅｔｈｅｒ変換部６１１と接続され、充電器の給電能力が５００ｍＡであると検出する(Ｄ＋／Ｄ−がアクティブなデバイスに接続されている場合は５００ｍＡと判断される)（ステップ９０４）。
【００９３】
続いて、メイン制御部６００とＵＳＢ−Ｅｔｈｅｒ変換部６１１とが接続され、当該接続が正常に認識されるとモバイルルータ６１のＥｔｈｅｒｎｅｔ通信が可能になる（ステップ９０５）。
【００９４】
Ｅｔｈｅｒｎｅｔ通信が可能になると、メイン制御部６００は、ＵＳＢ−Ｅｔｈｅｒ変換部６１１の充電器の給電能力検出結果が入力されている汎用Ｉ／Ｏポート６１３の状態をＵＳＢ通信経由で読み取る（ステップ９０６）。
【００９５】
メイン制御部６００は、ステップ９０６で読み取った結果（クレードル６２に接続された充電器の給電能力に応じた値）を充電制御部６０３に上書きする（ステップ９０７）。これにより、充電器の給電能力として、モバイルルータ６１のＵＳＢチャージャ検出器６０１が検出した結果(５００ｍＡ)は無効になり、クレードル６２のＵＳＢチャージャ検出器６１２が検出した結果が有効となる。
【００９６】
本実施形態におけるＵＳＢ充電器性能判別システム６０においても、クレードル６１とモバイルルータ６２との接続に専用クレードルコネクタを用いることなく、ＵＳＢコネクタで充電器の給電能力の判別及びＥｔｈｅｒｎｅｔ通信を実現することができる。
【００９７】
なお、本実施形態では、モバイルルータのメイン制御部が常に動作している必要がある。
【００９８】
以上、本発明の実施形態について説明したが、本発明は、上記実施形態に限定されるものではなく、本発明の趣旨を逸脱しない限りにおいて、他の変形例、応用例を含むことは言うまでもない。
【００９９】
上記の実施形態の一部又は全部は、以下のようにも記載されうるが、以下には限られない。
【０１００】
（付記１）
Ｅｔｈｅｒｎｅｔ通信機能を有するモバイルルータと、前記モバイルルータと第１のＵＳＢコネクタを介して接続されるクレードルと、を含むＵＳＢ充電器性能判別システムであって、
前記クレードルは、第２のＵＳＢコネクタを介して、前記モバイルルータを充電するための充電器に接続可能であり、
少なくとも前記モバイルルータに設けられ、Ｂａｔｔｅｒｙ  Ｃｈａｒｇｉｎｇ  Ｓｐｅｃｉｆｉｃａｔｉｏｎに則った前記充電器の給電能力の判別を行うＵＳＢチャージャ検出器と、
前記クレードルに設けられ、ＵＳＢ規格に準拠した信号とイーサネット規格に準拠した信号とを相互に変換可能なＵＳＢ−Ｅｔｈｅｒ変換部と、を有し、
前記ＵＳＢチャージャ検出器による給電能力の判別後に、前記ＵＳＢ−Ｅｔｈｅｒ変換部と前記第１のＵＳＢコネクタとの接続が有効となり前記モバイルルータが前記Ｅｔｈｅｒｎｅｔ通信可能な状態となることを特徴とするＵＳＢ充電器性能判別システム。
【０１０１】
（付記２）
前記クレードルは、前記第１のＵＳＢコネクタのデータラインの接続先を前記第２のＵＳＢコネクタと前記ＵＳＢ−Ｅｔｈｅｒ変換部との間で切り替えるＵＳＢデータライン切替スイッチをさらに有する、付記１に記載のＵＳＢ充電器性能判別システム。
【０１０２】
（付記３）
前記モバイルルータは、前記給電能力の判別後に出力される信号に応じて前記充電器から前記第１のＵＳＢコネクタの給電ラインを介して当該モバイルルータに電流を流すロードスイッチをさらに有し、
前記クレードルは、前記電流が流れたことを検出する電流検出部をさらに有し、
前記ＵＳＢデータライン切替スイッチは、前記電流検出部が前記電流の流れ始めを検出したことをトリガとして前記第１のＵＳＢコネクタのデータラインの接続先を前記第２のＵＳＢコネクタから前記ＵＳＢ−Ｅｔｈｅｒ変換部に切り替える、付記２に記載のＵＳＢ充電器性能判別システム。
【０１０３】
（付記４）
さらに前記クレードルに第２のＵＳＢチャージャ検出器が設けられ、
前記モバイルルータに制御部が設けられ、
前記ＵＳＢ−Ｅｔｈｅｒ変換部は、前記第２のＵＳＢチャージャ検出器による前記給電能力の判別結果が書き込まれる汎用Ｉ／Ｏポートを備えており、
前記制御部は、前記Ｅｔｈｅｒｎｅｔ通信により、前記汎用Ｉ／Ｏポートに書き込まれた前記給電能力の判別結果を読み出す、付記１に記載のＵＳＢ充電器性能判別システム。
【０１０４】
（付記５）
Ｅｔｈｅｒｎｅｔ通信機能を有するモバイルルータと、前記モバイルルータと第１のＵＳＢコネクタを介して接続されるクレードルと、を含むＵＳＢ充電器性能判別システムにおいて、
前記クレードルは、第２のＵＳＢコネクタを介して前記モバイルルータを充電するための充電器に接続可能であり、かつＵＳＢ規格に準拠した信号とイーサネット規格に準拠した信号とを相互に変換可能なＵＳＢ−Ｅｔｈｅｒ変換部と、を有し、
Ｂａｔｔｅｒｙ  Ｃｈａｒｇｉｎｇ  Ｓｐｅｃｉｆｉｃａｔｉｏｎに則った前記充電器の給電能力の判別を行う判別ステップと、
前記判別ステップにおける給電能力の判別後に、前記ＵＳＢ−Ｅｔｈｅｒ変換部と前記第１のコネクタとの接続を有効とし前記モバイルルータの前記Ｅｔｈｅｒｎｅｔ通信を可能とする通信開始ステップと、を含むことを特徴とするＵＳＢ充電器性能判別方法。
【０１０５】
（付記６）
前記通信開始ステップにおいて、前記第１のＵＳＢコネクタのデータラインの接続先を前記第２のＵＳＢコネクタと前記ＵＳＢ−Ｅｔｈｅｒ変換部との間で切り替える切替ステップをさらに有する、付記５に記載のＵＳＢ充電器性能判別方法。
【０１０６】
（付記７）
前記給電能力の判別後に出力される信号に応じて前記充電器から前記第１のＵＳＢコネクタの給電ラインを介して前記モバイルルータに電流を流すよう制御する制御ステップと、
前記電流が流れたことを検出する検出ステップをさらに有し、
前記切替ステップでは、前記検出ステップにて前記電流の流れ始めを検出したことをトリガとして前記第１のＵＳＢコネクタのデータラインの接続先を前記第２のＵＳＢコネクタから前記ＵＳＢ−Ｅｔｈｅｒ変換部に切り替える、付記６に記載のＵＳＢ充電器性能判別方法。
【０１０７】
（付記８）
前記ＵＳＢ−Ｅｔｈｅｒ変換部は汎用Ｉ／Ｏポートを備えており、
前記クレードルにより前記給電能力を判別する第２の判別ステップと、
前記第２の判別ステップにおける前記給電能力の判別結果が書き込まれた汎用Ｉ／Ｏポートから前記Ｅｔｈｅｒｎｅｔ通信により前記判別結果を読み出す読出ステップと、をさらに有する、付記５に記載のＵＳＢ充電器性能判別方法。
【０１０８】
（付記９）
ＵＳＢコネクタを介してクレードルに接続可能であり、Ｅｔｈｅｒｎｅｔ通信機能を有するモバイルルータであって、
前記クレードルに接続される充電器のＢａｔｔｅｒｙ  Ｃｈａｒｇｉｎｇ  Ｓｐｅｃｉｆｉｃａｔｉｏｎに則った給電能力を判別するＵＳＢチャージャ検出器と、
前記給電能力の判別後に出力される信号に応じて前記充電器からの電流を当該モバイルルータに流すロードスイッチと、を有し、
前記クレードルが前記電流を検出して前記ＵＳＢコネクタのデータラインの接続先を前記充電器から当該モバイルルータに切り替えたことに応じて前記Ｅｔｈｅｒｎｅｔ通信可能な状態となることを特徴とするモバイルルータ。
【０１０９】
（付記１０）
第１のＵＳＢコネクタを介して、Ｅｔｈｅｒｎｅｔ通信機能を有するモバイルルータが接続され、
第２のＵＳＢコネクタを介して、前記モバイルルータを充電するための充電器が接続され、
前記モバイルルータおけるＢａｔｔｅｒｙ  Ｃｈａｒｇｉｎｇ  Ｓｐｅｃｉｆｉｃａｔｉｏｎに則った前記充電器の給電能力の判別後に前記第１のＵＳＢコネクタのデータラインの接続先を前記第２のＵＳＢコネクタから前記ＵＳＢ−Ｅｔｈｅｒ変換部へ切り替えるＵＳＢデータライン切替スイッチと、を有することを特徴とするクレードル。
【０１１０】
（付記１１）
前記第１のＵＳＢコネクタの給電ラインを介して前記充電器から前記モバイルルータに電流が流れたことを検知する電流検出部をさらに有し、
前記ＵＳＢデータライン切替スイッチは、前記電流検出部が前記電流の流れ始めを検出したことをトリガとして前記第１のＵＳＢコネクタのデータラインの接続先を前記第２のＵＳＢコネクタから前記ＵＳＢ−Ｅｔｈｅｒ変換部に切り替える、付記１０に記載のクレードル。
【符号の説明】
【０１１１】
１０、４０、６０    ＵＳＢ充電器性能判別システム
１１、３１、４１、６１、１０１、２００    モバイルルータ
１２、３２、４２、６２、２０１    クレードル
１３    第１のＵＳＢコネクタ
１４    第２のＵＳＢコネクタ
１５、３０１、４０１、６０１、６１２    ＵＳＢチャージャ検出器
１６、３１２、４１１、６１１    ＵＳＢ−Ｅｔｈｅｒ変換部
３０    充電システム
１００    モバイル機器
１０２、２０４    基地局
１０３、２０５    インターネット
２０３    ＰＣ
３００、４００、６００    メイン制御部
３０２、３０９    専用クレードルコネクタ
３０３、４０３、６０３    充電制御部
３０４、４０４、６０４    バッテリ
３０５、４０５、６０５    電源部
３０６、４０６、６０６    無線通信部
３０７、４０７、６０７    記憶部
３０８、３１０、４０２、４０８、４０９、６０２、６０８、６０９    ＵＳＢコネクタ
３１１、４１０、６１０    有線ＬＡＮコネクタ
４１２    ロードスイッチ
４１３    電流検出部
４１４    ＵＳＢデータライン切替スイッチ
４１５    切替スイッチ制御信号生成部
５０１    シャント抵抗
５０３    コンパレータ
５０４    遅延部
５０５    Ｄ−Ｆｌｉｐ  Ｆｌｏｐ
６１３    汎用Ｉ／Ｏポート
【図１】
0005964796.tif 000002
【図２】
0005964796.tif 000003
【図３】
0005964796.tif 000004
【図４】
0005964796.tif 000005
【図５】
0005964796.tif 000006
【図６】
0005964796.tif 000007
【図７】
0005964796.tif 000008
【図８】
0005964796.tif 000009
【図９】
0005964796.tif 000010
【図１０】
0005964796.tif 000011
【図１１】
0005964796.tif 000012